(57)【要約】【課題】  利用者の汗により電池蓋のパッキンが劣化するのを防止し、装置の防水性を長期間にわたって維持するようにすること。【解決手段】  心拍計測用送信機１の送信機ケースの表側、即ち上ケース８に、電池収納部１１と電池収納部１１の開口を液密に封止する開閉可能な電池蓋１２と、電池蓋１２を覆う開閉可能な電池蓋カバー１４を設けた。電池蓋カバー１４の内面と送信機ケースの上ケース８との間には、電池蓋１２の外周の外側を囲むようにして防水用弾性体１５が設けられている。【選択図】  図１
2007143622.tif 000002
【特許請求の範囲】
【請求項１】
胸部ベルトに取付けられた一対の胸電極で検出した心電信号に基づいて、アンテナから無線送信する心拍計測用送信機において、心電信号検出部と無線送信部とこれらの電源となる電池を収納した送信機ケースの表側に電池収納部と前記電池収納部の開口を液密に封止する開閉可能な電池蓋とを設けたことを特徴とする心拍計測用送信機。
【請求項２】
前記電池蓋を覆う開閉可能な電池蓋カバーを更に前記送信機ケースの表側に設けたことを特徴とする請求項１に記載の心拍計測用送信機。
【請求項３】
前記電池蓋カバーの内面と前記送信機ケースの上面との間に且つ前記電池蓋の外周の外側を囲むようにして防水用弾性体を設けたことを特徴とする請求項２に記載の心拍計測用送信機。
【請求項４】
前記電池蓋カバーはヒンジにより前記送信機ケースに取付けられていることを特徴とする請求項２又は３に記載の心拍計測用送信機。
【請求項５】
前記電池蓋カバーは前記電池収納部と前記電池蓋の上方に形成された電池蓋カバー取付用円筒状凹部に開閉可能にして装着されるものであることを特徴とする請求項２に記載の心拍計測用送信機。
【請求項６】
請求項１乃至５のいずれか一つに記載の心拍計測用送信機を備えた心拍計測装置。
【発明の詳細な説明】
【技術分野】
【０００１】
本発明は、胸部ベルトに取付けられた一対の胸電極が検出した心電信号に基づいて、送信アンテナから無線送信する心拍計測用送信機、及び前記心拍計測用送信機を備えた心拍計測装置に関する。
【背景技術】
【０００２】
特開平１０−１５５７５３号公報（特許文献１）には、心拍計測装置は、胸部ベルトに取付けられた一対の胸電極と、前記胸電極が検出した心電信号に基づいて送信アンテナから無線送信する心拍計測用送信機と、前記心拍計測用送信機から送信されてきた心拍数データの無線信号を受信アンテナで受信し、信号処理部で所定の処理を行って１分間当たりの心拍数を演算して表示する心拍計測用受信機とから構成された心拍計測装置が開示されている。
【０００３】
上述の従来の心拍計測用送信機においては、電池収納部は送信機ケースの裏側に設けられている。そして、この電池収納部にはボタン電池は収納され、その開口部は開閉可能な電池蓋によって液密状態を確保して封止されている。前記液密状態の確保は、前記電池収納部の開口部に設けられたパッキン収納部に収納された防水用パッキンによって実現されている。
【０００４】
従来の心拍計測用送信機を胸部ベルトによって利用者の胸部に装着すると、電池蓋は常に人体と接触することになる。このため、前記電池蓋は利用者の汗に常にさらされるので、前記防水用パッキンはこの汗によって劣化が著しく早まる。従って、従来の心拍計測用送信機の防水性能は短期間しか維持できないという問題がある。
【０００５】
また、従来の心拍計測用送信機は、利用者が装着したまま水泳する場合には、防水用パッキンが充分な防水性能を維持できないという問題もある。水深に比例して増加する水圧と水泳中の移動による圧力増加に、上記防水用パッキンでは対応できないからである。
【特許文献１】特開平１０−１５５７５３号公報
【発明の開示】
【発明が解決しようとする課題】
【０００６】
本発明が解決しようとする第１の課題は、ボタン電池を電源とし胸部ベルトに取付けられて使用される心拍計測用送信機において、利用者の汗により電池蓋の防水用パッキンが劣化するのを防止し、装置の防水性を長期間にわたって維持するようにすることである。
本発明が解決しようとする第２の課題は、ボタン電池を電源とし胸部ベルトに取付けられて使用される心拍計測用送信機において、水泳中においても装置の防水性を確保できるようにすることである。
【課題を解決するための手段】
【０００７】
上述の第１の課題を解決するために、胸部ベルトに取付けられた一対の胸電極で検出した心電信号に基づいて、アンテナから無線送信する心拍計測用送信機において、前記心電信号検出部と無線送信部とこれらの電源となる電池を収納した送信機ケースの表側に電池収納部と前記電池収納部の開口を液密に封止する開閉可能な電池蓋とを設けた。
【０００８】
上述の第１及び第２の課題を解決するために、胸部ベルトに取付けられた一対の胸電極で検出した心電信号に基づいて、アンテナから無線送信する心拍計測用送信機において、前記心電信号検出部と無線送信部とこれらの電源となる電池を収納した送信機ケースの表側に電池収納部と前記電池収納部の開口を液密に封止する開閉可能な電池蓋とを設け、更に、前記電池蓋を覆う開閉可能な電池蓋カバーを前記送信機ケースの表側に設けた。
【０００９】
また、上述の第１及び第２の課題を解決するために、胸部ベルトに取付けられた一対の胸電極で検出した心電信号に基づいて、アンテナから無線送信する心拍計測用送信機において、前記心電信号検出部と無線送信部とこれらの電源となる電池を収納した送信機ケースの表側に電池収納部と前記電池収納部の開口を液密に封止する開閉可能な電池蓋とを設け、前記電池蓋を覆う開閉可能な電池蓋カバーを前記送信機ケースの表側に設け、更に、前記電池蓋カバーの内面と前記送信機ケースの上面との間に且つ前記電池蓋の外周の外側を囲むようにして防水用弾性体を設けた。
【発明の効果】
【００１０】
本発明により、電池を電源とし胸部ベルトに取付けられて使用される心拍計測用送信機において、電池蓋が利用者の素肌に直接触れることがないので、汗により電池蓋のパッキンが劣化するのが防止され、装置の防水性能を長期間にわたって維持されるようになった。また、送信機ケースの表側で二重の防水構造を採用できるので、水泳中においても装置の防水性能が確保できるようになった。
【発明を実施するための最良の形態】
【００１１】
本発明は、胸部ベルトに取付けられた一対の胸電極で検出した心電信号に基づいて、アンテナから無線送信する心拍計測用送信機において、前記心電信号検出部と無線送信部とこれらの電源となる電池を収納した送信機ケースの表側に電池収納部と前記電池収納部の開口を液密に封止する開閉可能な電池蓋とを設けたことを特徴とするものである。なお、本発明の実施例では電池にボタン型電池を使用した場合について詳述するが、円筒型などの他の電池であっても構わないことは勿論である。
【実施例１】
【００１２】
実施例１の心拍計測用送信機は、図１のケースの長手方向の中心線に沿って切断した断面図、図２のケースの裏側から見た平面図、図３のケースの表側から見た平面図、及び図４のケースの長手方向に直角な中心線に沿って切断した断面図に示す如く、胸部ベルト４と５にそれぞれ取付けられた一対の胸電極２と３とで検出した心電信号に基づいて、アンテナ６から無線送信する心拍計測用送信機である。
【００１３】
前記送信機ケースは、上ケース８と下ケース９とによって構成されており、胸部ベルト４と結合部８ａで結合され、また胸部ベルト５と結合部８ｂで結合されている。胸電極２は、その電極２ａを回路ブロック７の一方の回路側電極７ａと接続部１６で接続されている。また、胸電極３は、その電極３ａを回路ブロック７の一方の回路側電極７ｂと接続部１７で接続されている。
【００１４】
前記送信機ケース内に収納されている回路ブロック７は、前記心電信号検出部と無線送信部を構成している。前記心電信号検出部と無線送信部の電源となるボタン電池１０は、前記送信機ケースの表側、即ち上ケース８の表側に設けられた電池収納部１１内に収納され、電池収納部１１の開口部は防水用パッキン１３を介して開閉可能な電池蓋１２によって封止されている。
【００１５】
前記送信機ケースの表側、即ち上ケース８の表側には、更に電池蓋カバー１４が一端を蝶番１４ａにより開閉可能にして取り付けられている。電池蓋カバー１４は、送信機ケースは電池蓋１２をすっぽりカバーする大きさのカバーであって、前記送信機ケースの表側の概ね半分を占めている。電池蓋カバー１４は、図４に示す如く、蝶番１４ａ側と反対の端部に垂直に折り曲げられた係合部１４ｂを備えている。そして、係合部１４ｂの先端には係合用突起１４ｃが形成されている。また、この係合用突起１４ｃに対向する上ケース８の側面には係合用凹部８ｃが形成されている。電池蓋カバー１４が閉じられると、電池蓋カバー１４の係合用突起１４ｃは、上ケース８の側面の係合用凹部８ｃに係合し、これによって電池蓋カバー１４が開かれるのを阻止する。
【００１６】
電池蓋カバー１４の下面と上ケース８の上面との間には、電池蓋の外周を囲むようにして防水用弾性体１５が配置されている。防水用弾性体１５は円形の電池蓋１２と中心を同じにした略矩形のゴムなどの弾性部材の部品である。防水用弾性体１５を所定の位置に取り付けるために、上カバー８には略矩形の取付用溝８ｄが形成されている。また、電池蓋カバー１４の下面には、取付用溝８ｄに取付けられた防水用弾性体１５が係合する略矩形の係合用溝１４ｄが形成されている。防水用弾性体１５は、電池蓋１２の防水用パッキン１３を第１の防水手段と言えば、第２の防水手段として機能するものである。
【００１７】
上述の通り、実施例１の心拍計測用送信機は、心電信号検出部と無線送信部とこれらの電源となるボタン電池１０を収納した送信機ケースの表側に電池収納部１１とその開口を液密に封止する開閉可能な電池蓋１２とを設け、電池蓋１２を覆う開閉可能な電池蓋カバー１４を上ケース８の表側に設け、更に、電池蓋カバー１４の内面と上ケース８の上面との間に電池蓋１２の外周を囲むようにして防水用弾性体１５を設けたものである。
【００１８】
実施例１の心拍計測用送信機は上述の如き構成であるので、電池蓋１０は人体に常に接触することがなく、汗等の腐食原因物質への接触が最小限に押えられるようになったので、長期間にわたる装置の防水性能を維持できるようになった。また、電池蓋カバー１４を設けたことにより装着時の外観は従来製品と同様の美観を維持でき、装着したまま水泳しても電池蓋１２の防水用パッキン１３にかかる加圧のうち人体の移動により発生する加圧分が直接に電池蓋１０にかかることが防止されるので、電池蓋１０への加圧分が抑制され、その結果、水泳中でも防水性能が確保できるようになった。更にまた、第２の防水手段として機能する防水用弾性体１５を設けたことにより、実施例１の心拍計測用送信機は従来の装置に比べて格段に防水性能が向上した。
【実施例２】
【００１９】
実施例２の心拍計測用送信機は、上述の実施例１の心拍計測用送信機から、第２の防水手段である防水用弾性体１５を省いて構成したものである。
【００２０】
即ち、図５のケースの長手方向に直角な中心線に沿って切断した断面図に示す通り、心拍数演算部と無線送信部とこれらの電源となるボタン電池１０を収納した送信機ケースの表側に電池収納部１１とその開口を液密に封止する開閉可能な電池蓋１２とを設け、電池蓋１２を覆う開閉可能な電池蓋カバー１４を上ケース８の表側に設けたものである。
【００２１】
実施例２の心拍計測用送信機は上述の如き構成であるので、電池蓋１０は人体に常に接触することがなく、汗等の腐食原因物質への接触が最小限に押えられるようになったので、長期間にわたる装置の防水性能を維持できるようになった。また、電池蓋カバー１４を設けたことにより装着時の外観は従来製品と同様の美観を維持でき、装着したまま水泳しても電池蓋１２の防水用パッキン１３にかかる加圧のうち人体の移動により発生する加圧分が直接に電池蓋１０にかかることが防止されるので、電池蓋１０への加圧分が抑制され、その結果、水泳中でも防水性能が確保できるようになった。
【実施例３】
【００２２】
実施例３の心拍計測用送信機は、上述の実施例１の心拍計測用送信機から、電池蓋カバー１４及び防水用弾性体１５を省いて構成したものである。
【００２３】
即ち、実施例３の心拍計測用送信機は、図６のケースの長手方向に直角な中心線に沿って切断した断面図、及び図７のケースの長手方向の中心線に沿って切断した断面図に示す通り、胸部ベルト４と５にそれぞれ取付けられた一対の胸電極２と３とで検出した心電信号に基づいて、アンテナ６から無線送信する心拍計測用送信機である。
【００２４】
前記送信機ケースは、上ケース８と下ケース９とによって構成されており、胸部ベルト４と結合部８ａで結合され、また胸部ベルト５と結合部８ｂで結合されている。胸電極２は、その電極２ａを回路ブロック７の一方の回路側電極７ａと接続部１６で接続されている。また、胸電極３は、その電極３ａを回路ブロック７の一方の回路側電極７ｂと接続部１７で接続されている。
【００２５】
前記送信機ケース内に収納されている回路ブロック７は、前記心電信号検出部と無線送信部を構成している。前記心電信号検出部と無線送信部の電源となるボタン電池１０は、前記送信機ケースの表側、即ち上ケース８の表側に設けられた電池収納部１１内に収納され、電池収納部１１の開口部は防水用パッキン１３を介して開閉可能な電池蓋１２によって封止されている。
【００２６】
実施例３の心拍計測用送信機は上述の如き構成であるので、電池蓋１０は人体に常に接触することがなく、汗等の腐食原因物質への接触が最小限に押えられるようになったので、長期間にわたる装置の防水性能を維持できるようになった。
【図面の簡単な説明】
【００２７】
【図１】ケースの長手方向の中心線に沿って切断した実施例１の心拍計測用送信機の断面図である。
【図２】ケースの裏側から見た実施例１の心拍計測用送信機の平面図である。但し、裏蓋とケース内に収納される電子部品の殆どは取り除いて示してある。
【図３】ケースの表側から見た実施例１の心拍計測用送信機の平面図である。
【図４】ケースの長手方向に直角な中心線に沿って切断した実施例１の心拍計測用送信機の断面図である。
【図５】ケースの長手方向に直角な中心線に沿って切断した実施例２の心拍計測用送信機の断面図である。
【図６】ケースの長手方向に直角な中心線に沿って切断した実施例３の心拍計測用送信機の断面図である。
【図７】ケースの長手方向の中心線に沿って切断した実施例３の心拍計測用送信機の断面図である。
【符号の説明】
【００２８】
１  心拍計測用送信機
２，３  胸電極
２ａ，３ｂ  胸電極の電極
４，５  ベルト
６  アンテナ
７  回路ブロック
７ａ，７ｂ  回路ブロックの電極
８  上ケース
８ａ，８ｂ  ベルトとの結合部
８ｃ  係合凹部
８ｄ  取付用溝
９  下ケース
１０  ボタン電池
１１  電池収納部
１２  電池蓋
１３  防水用パッキン
１４  電池蓋カバー
１４ａ  蝶番
１４ｂ  係合部
１４ｃ  係合用突起
１４ｄ  係合用溝係
１５  防水用弾性体
１６，１７  電極接続具
１８，１９  ケース固定具
【図１】
2007143622.tif 000003
【図２】
2007143622.tif 000004
【図３】
2007143622.tif 000005
【図４】
2007143622.tif 000006
【図５】
2007143622.tif 000007
【図６】
2007143622.tif 000008
【図７】
2007143622.tif 000009